(57)【要約】【課題】  開封前の保管の際に、カメラカバーの親水性の膜への化学物質の付着を抑制することができる撮像装置を提供することを目的とする。【解決手段】  本発明の撮像装置１０は、撮像素子を有するレンズユニットと、レンズユニットを覆うとともに、外表面に親水性の膜１３０を有するカメラカバー１１０と、カメラカバー１１０を覆うシート部材２００と、を備え、シート部材２００は、親水性の膜１３０のうち少なくとも光学有効範囲に対応する範囲を覆うように配置される。【選択図】  図３
2018191052.tif 000002
【特許請求の範囲】
【請求項１】
撮像素子を有するレンズユニットと、
前記レンズユニットを覆うとともに、外表面に親水性の膜を有するカメラカバーと、
前記カメラカバーを覆うシート部材と、を備え、
前記シート部材は、前記親水性の膜のうち少なくとも光学有効範囲に対応する範囲を覆うように配置される、撮像装置。
【請求項２】
前記シート部材の水蒸気透過度は、８．１［ｇ／ｍ２・２４ｈ］以下である、請求項１に記載の撮像装置。
【請求項３】
前記シート部材と前記カメラカバーの間を封止する封止部材を備える、請求項１または２に記載の撮像装置。
【請求項４】
前記封止部材は、前記シート部材の外周端部に配置される、請求項３に記載の撮像装置。
【請求項５】
前記封止部材は、アクリル系またはウレタン系である、請求項３または４に記載の撮像装置。
【発明の詳細な説明】
【技術分野】
【０００１】
本発明は、カメラカバーの親水性の膜に化学物質が付着することを抑制する撮像装置に関するものである。
【背景技術】
【０００２】
住居・商用ビル又は屋外のセキュリティシステムとして、監視カメラが広く利用されている。監視カメラは、雨水や砂利等からの保護を目的として、透明なカメラカバーを備えている。カメラカバーは、水滴が付着すると、水滴により光の屈折が起こり、結果として撮影画像に悪影響を及ぼすことがある。そのため、親水性の膜を形成することで、水滴や汚れを落とす構成が知られている。しかしながら、親水性の膜は、大気中や周囲の環境からの化学物質などが吸着すると、表面が汚染されてしまい、親水性の膜の本来の性能を発揮することができないといった問題があった。そこで、親水性の膜を保護するために、特許文献１のように、カメラ本体を防湿性フィルムなどで密封包装することが考えられる。
【先行技術文献】
【特許文献】
【０００３】
【特許文献１】特許第３１３９３２２号公報
【発明の概要】
【発明が解決しようとする課題】
【０００４】
しかしながら、特許文献１のように、カメラ本体を防湿性フィルムで密封した場合、カメラ自体が搭載している回路基板、部品類から発生する化学物資が、防湿性フィルム内で滞留する。滞留した化学物質は、製品に付着するおそれがある。そのため、カメラ本体を梱包から出した際に、既に親水性の膜の性能が低下していることがあり、種々の対策が望まれている。
【０００５】
本発明の目的は、開封前の保管の際に、カメラカバーの親水性の膜への化学物質の付着を抑制することができる撮像装置を提供することである。
【課題を解決するための手段】
【０００６】
【発明の効果】
【０００７】
本発明の撮像装置は、開封前の保管の際に、カメラカバーの親水性の膜への化学物質の付着を抑制することができる。
【図面の簡単な説明】
【０００８】
【図１】本発明の第１実施形態における撮像装置の斜視図である。
【図２】本発明の第１実施形態における撮像装置の斜視図である。
【図３】本発明の第１実施形態における撮像装置の断面図である。
【図４】シート部材の水蒸気透過度と親水性の膜の接触角の関係を示すグラフである。
【図５】本発明の第２実施形態における撮像装置の断面図である。
【図６】本発明の第３実施形態における撮像装置の断面図である。
【図７】本発明の第４実施形態における撮像装置の断面図である。
【図８】本発明の第５実施形態における撮像装置の断面図である。
【図９】本発明の第６実施形態における撮像装置の断面図である。
【図１０】本発明の第７実施形態における撮像装置の断面図である。
【図１１】本発明の第８実施形態における撮像装置の断面図である。
【発明を実施するための形態】
【０００９】
＜第１実施形態＞
以下に、図面を参照して、本発明の実施形態の一例を説明する。図１は、本発明の第１実施形態における撮像装置の斜視図である。図２は、本発明の第１実施形態における撮像装置の斜視図である。図３は、本発明の第１実施形態における撮像装置のＡ−Ａ´断面図である。図４は、シート部材の水蒸気透過度と親水性の膜の接触角の関係を示すグラフである。
【００１０】
本発明の撮像装置１０は、筐体１００と、カメラカバー１１０と、シート部材２００と、封止部材３００と、を備えている。
【００１１】
筐体１００は、撮像素子を備えるレンズユニットを収容している。
【００１２】
カメラカバー１１０は、外部からの防塵や衝撃から撮像レンズを守るためのものであり、透明なポリカーボネート材料からなる。カメラカバー１１０の外表面には親水性の膜１３０が形成されている。親水性の膜１３０は、カメラカバー１１０の外表面に付いた水を濡れ広がらせることで水滴化を抑制するものであり、シリコン材料が主成分である。また、親水性の膜１３０は、水接触角が５度から３０度であって、かつ中心線平均粗さＲａが０．００５μｍである。また、親水性の膜１３０は、カメラカバー１１０の撮像画角内エリアとなる光学有効範囲Ｗよりも広く成膜されている。
【００１３】
シート部材２００は、例えば、アルミラミネートしたもの、アルミ蒸着したものなどがあるが、水蒸気透過度が８．１［ｇ／ｍ２・２４ｈ］以下であればよい。アルミラミネートシートは、アルミ層をポリエチレンテレフタラートと直鎖低密度ポリエチレン、および低密度ポチエチレンにてラミネートしたものである。アルミ蒸着フィルムは、ポリエチレンテレフタラートのフィルムにアルミ蒸着したものである。また、シート部材２００は、封止部材３００の粘着層によって、カメラカバー１１０に固定されている。また、シート部材３００は、親水性の膜１３０のうち少なくとも光学有効範囲に対応する範囲を覆うように配置される。
【００１４】
封止部材３００は、シート部材２００とカメラカバー１１０の間を封止している。また、封止部材３００は、親水性の膜３００上であって、シート部材２００の外周端部に配置される。封止部材３００は、アクリル系やウレタン系などガス発生が少ない材料が良いが、封止出来るものであればそれ以外の材料でも構わない。また、封止部材３００の厚さは、０．５ｍｍ以下が好ましい。また、封止部材３００は、光学有効範囲Ｗの外に設けられている。
【００１５】
図４は、シート部材２００の水蒸気透過度と親水性の膜１３０の接触角の関係を示したものある。シート部材２００は、アルミラミネートシートを使用し、水蒸気透過度が約０［ｇ／ｍ２・２４ｈ］である材料を使用した。また、封止部材３００は、幅５ｍｍ、厚さ０．２ｍｍのアクリル樹脂テープを使用した。
【００１６】
図４に示すように、半年間梱包保管、１年間梱包保管、２年間梱包保管時でそれぞれ、親水性の膜１３０は、周囲の化学物質により汚染され、接触角が上昇している。一般的に接触角が４０度以下であれば、親水性が保たれる。半年間保管する場合は、水蒸気透過度が２．０２［ｇ／ｍ２・２４ｈ］以下のアルミラミネートシートを用いるとよいことが分かる。また、１年間保管する場合は水蒸気透過度が４．０３［ｇ／ｍ２・２４ｈ］以下のアルミラミネートシートを用いるとよいことが分かる。２年間保管する場合は、水蒸気透過度が８．０５［ｇ／ｍ２・２４ｈ］以下のアルミラミネートシートを用いるとよいことが分かる。
【００１７】
上記のような構成によれば、開封前の保管の際に、カメラカバー１１０の親水性の膜１３０への化学物質の付着を抑制することができる。
【００１８】
また、封止部材３００は、光学有効範囲Ｗの外に設けられているため、光学有効範囲Ｗ内に封止部材３００の粘着層が付着することを抑制できる。
【００１９】
＜第２実施形態＞
図５は、本発明の第２実施形態における撮像装置のＡ−Ａ´断面図である。
【００２０】
第２実施形態では、図５に示すように、封止部材３０１が、カメラカバー１１０の外表面の親水性の膜１３０の全面を覆うように設けられている。シート部材２０１は、アルミ蒸着フィルムであり、水蒸気透過度が約０［ｇ／ｍ２・２４ｈ］である。また、封止部材３００は、厚さ０．３ｍｍのウレタン樹脂テープである。
【００２１】
上記の構成によれば、親水性の膜１３０の全面を封止部材３０１で覆ったため、カメラカバー１１０の親水性の膜１３０への化学物質の付着をより抑制することができる。
【００２２】
＜第３実施形態＞
図６は、本発明の第３実施形態における撮像装置のＡ−Ａ´断面図である。
【００２３】
第３実施形態では、図６に示すように、封止部材３０２が、シート部材２０２の全面を覆うように設けられている。シート部材２０１は、水蒸気透過度が約０．６［ｇ／ｍ２・２４ｈ］の透明なＧＬフィルム（凸版印刷社製）である。ＧＬフィルム（凸版印刷社製）は、ポリエチレンテレフタラートのフィルムにシリカ蒸着したものである。また、封止部材３０２は、厚さ０．３ｍｍのウレタン樹脂テープである。
【００２４】
上記の構成によれば、透明なＧＬフィルムを用いることで、カメラカバー１１０との位置合わせを簡単にすることができる。
【００２５】
＜第４実施形態＞
図７は、本発明の第４実施形態における撮像装置のＡ−Ａ´断面図である。
【００２６】
第７実施形態では、封止部材３０３が、親水性の膜１３０と重ならない位置に設けられている。封止部材３０３は、幅５ｍｍ、厚さ０．２ｍｍのアクリル樹脂テープを使用している。また、親水性の膜１３０をドームカバー１１０に塗布する際には、マスキングをすることで、ドームカバー１１０のうち封止部材３０３を貼る部分に親水性の膜１３０を塗布しないようにしている。
【００２７】
上記の構成によれば、ドームカバー１１０のうち封止部材３０３を貼る部分に親水性の膜１３０を塗布しないようにしているため、封止部材３０３が親水性の膜１３０に悪影響を与えることを抑制できる。
【００２８】
＜第５実施形態＞
図８は、本発明の第５実施形態における撮像装置のＡ−Ａ´断面図である。
【００２９】
第５実施形態は、ドーム型の撮像装置であり、半球状のドームカバー１１１を備えている。シート部材２０４は、水蒸気透過度が約０［ｇ／ｍ２・２４ｈ］のアルミラミネートシートである。また、シート部材２０４とドームカバー１１１の基台との隙間を封止するために、封止部材３０４を配置している。封止部材３０４は、アクリル系の接着剤を使用しており、一度貼って剥せるものである。封止部材３０４は、シート部材２０４の周縁部に配置されている。
【００３０】
上記のような構成によれば、開封前の保管の際に、ドームカバー１１１の親水性の膜１３１への化学物質の付着を抑制することができる。
【００３１】
＜第６実施形態＞
図９は、本発明の第６実施形態における撮像装置のＡ−Ａ´断面図である。
【００３２】
第６実施形態では、図９に示すように、封止部材３０５が、シート部材２０５の全面を覆うように設けられている。シート部材２０５は、水蒸気透過度が約０［ｇ／ｍ２・２４ｈ］のアルミ蒸着フィルムである。封止部材３０５は、ウレタン系の接着剤であり、一度貼って剥せるものである。
【００３３】
上記のような構成によれば、開封前の保管の際に、ドームカバー１１１の親水性の膜１３１への化学物質の付着を抑制することができる。
【００３４】
＜第７実施形態＞
図１０は、本発明の第７実施形態における撮像装置のＡ−Ａ´断面図である。
【００３５】
第７実施形態は、シート部材２０６の端部が折り曲げられている。また、折り曲げられた部分は、基台と間隔が隔てられている。封止部材３０６は、親水性の膜１３１上であって、シート部材２０６の折り曲げ部付近に設けられている。
【００３６】
上記のような構成によれば、開封前の保管の際に、ドームカバー１１１の親水性の膜１３１への化学物質の付着を抑制することができる。
【００３７】
＜第８実施形態＞
図１１は、本発明の第８実施形態における撮像装置のＡ−Ａ´断面図である。
【００３８】
第８実施形態は、封止部材３０７が、シート部材２０７を覆うように設けられている。また、封止部材３０７は、親水性の膜１３１の全面を覆うように設けられている。
【００３９】
上記のような構成によれば、開封前の保管の際に、ドームカバー１１１の親水性の膜１３１への化学物質の付着を抑制することができる。
【符号の説明】
【００４０】
１０  撮像装置
１００  筐体
１１０  カメラカバー
１１１  ドームカバー
１３０  親水性の膜
１３１  親水性の膜
２００〜２０６  シート部材
３００〜３０７  封止部材
【図１】
2018191052.tif 000003
【図２】
2018191052.tif 000004
【図３】
2018191052.tif 000005
【図４】
2018191052.tif 000006
【図５】
2018191052.tif 000007
【図６】
2018191052.tif 000008
【図７】
2018191052.tif 000009
【図８】
2018191052.tif 000010
【図９】
2018191052.tif 000011
【図１０】
2018191052.tif 000012
【図１１】
2018191052.tif 000013